(57)【要約】【課題】色空間ｓＹＣＣでのＪＰＥＧ符号化情報の交互モードでの両面通信が指定された場合であっても、受信したカラーファイル情報を好適にカード等の可搬記録媒体にアップロードすることができる通信制御方法を提供する。【解決手段】フルカラー情報を記憶する可搬記録媒体を備える受信機から送信機に対して、ＪＰＥＧＧ符号化情報の受信機能、色空間Ｌａｂ又は色空間ｓＹＣＣでのフルカラー情報の受信機能及び交互モードでの両面受信機能の有無を通知する。また、送信機から受信機に対して、ＪＰＥＧ符号化情報の送信、色空間Ｌａｂ又は色空間ｓＹＣＣでのフルカラー情報の送信及び交互モードでの両面送信を指定する。ここで、色空間ｓＹＣＣでのＪＰＥＧ符号化情報の通信が指定された場合、受信機では、交互モードでの両面通信の指定を無視して、受信した情報を可搬記録媒体にアップロードする。【選択図】  図１
2004153666.tif 000002
【特許請求の範囲】
【請求項１】
フルカラー情報を通信し、受信した前記フルカラー情報を記憶する可搬記録媒体を備える受信機と送信機との間の通信制御方法において、
前記受信機から前記送信機に対して、
ＪＰＥＧ符号化情報の受信機能の有無を通知し、
色空間Ｌａｂでのフルカラー情報の受信機能の有無を通知し、
色空間ｓＹＣＣでのフルカラー情報の受信機能の有無を通知し、
交互モードでの両面受信機能の有無を通知し、
前記送信機から前記受信機に対して、
ＪＰＥＧ符号化情報の送信を指定し、
色空間Ｌａｂでのフルカラー情報の送信を指定し、
色空間ｓＹＣＣでのフルカラー情報の送信を指定し、
交互モードでの両面送信を指定する通信制御方法であって、
前記受信機は、色空間ｓＹＣＣでのＪＰＥＧ符号化情報の通信及び交互モードでの両面通信が指定された場合、交互モードでの両面通信の指定を無視し、受信した前記フルカラー情報を前記可搬記録媒体にアップロードすることを特徴とする通信制御方法。
【発明の詳細な説明】
【０００１】
【発明の属する技術分野】
本発明は、ファクシミリ装置における通信制御、特に、カラーファイル情報を受信可能なファクシミリ装置における通信制御に関する。
【０００２】
【従来の技術】
従来のファクシミリ装置は、モノクロ通信を実行するファクシミリ装置が主流であった。しかしながら、最近は、インクジェットプリンタ、デジタルカメラ及びパーソナルコンピュータ等の普及に伴い、カラー情報の取り扱いが急増してきた。このような状況で、カラー通信のニーズも急速に高まってきた。
【０００３】
ここで、現在のＩＴＵ−Ｔの勧告について説明する。カラー情報の送信はＩＴＵ−Ｔ勧告Ｔ．８２で規定されているＪＰＥＧ符号化により、ＩＴＵ−Ｔ勧告Ｔ．４２の色空間Ｌａｂでフルカラー情報の送信が実行されている。これらのカラーファクシミリ通信は、送信機及び受信機共にスタンドアローンのファクシミリ装置で実行されていた。また、従来のカラー通信が可能なファクシミリ装置は、交互モードでの両面通信機能を有していなかった。
【０００４】
一方で、プリンタ機能の進歩や記録紙の有効利用から、カラー情報の記録紙への両面記録のニーズも高まってきて、色空間ＬａｂでのＪＰＥＧ符号化情報を両面記録するファクシミリ装置の出現が望まれている。
【０００５】
従来から、送信されるカラーファクシミリ情報の色空間としてＬａｂが使用されているが、例えば、デジタルカメラで撮影したカラー情報の色空間はｓＹＣＣであってＬａｂではない。また、パーソナルコンピュータにおいてカラー情報を表示する場合の色空間もｓＹＣＣであってＬａｂではない。そこで、近年、このような状況から色空間ｓＹＣＣでのカラー通信のニーズが高まっている。
【０００６】
ここで、カラーファクシミリ通信でも、既にＩＴＵ−Ｔによって勧告化されている色空間ＬａｂでのＪＰＥＧ符号化での通信を実行すれば良いが、デジタルカメラで撮影した情報はファクシミリ装置そのものでプリント（印刷）するよりもそれ以外の用途も多いと考えられる。例えば、受信した情報をカード、ディスク等の可搬記録媒体にアップロードして、このカード等をデジタルカメラに装着、或いは、パーソナルコンピュータに装着して撮影された情報を表示するような使用方法も考えられる。このような使用方法をするという前提に立てば、今後のファクシミリ装置には、色空間ｓＹＣＣでＪＰＥＧ符号化されたカラーファイル情報の通信を行った後に、例えば、コンパクトフラッシュ（登録商標）カードにアップロードするような処理が要求される。
【０００７】
【発明が解決しようとする課題】
しかしながら、従来のファクシミリ装置では、交互モードでの両面通信機能を有していなかったので、交互モードでの両面通信が指定された時における色空間ｓＹＣＣでのＪＰＥＧ符号化情報を受信したときの処理ができないという欠点があった。
【０００８】
本発明は、このような事情を考慮してなされたものであり、色空間ｓＹＣＣでのＪＰＥＧ符号化情報の交互モードでの両面通信が指定された場合であっても、受信したカラーファイル情報を好適にカード等の可搬記録媒体にアップロードすることができるファクシミリ装置の通信制御方法を提供することを目的とする。
【０００９】
【課題を解決するための手段】
上記課題を解決するために、本発明は、フルカラー情報を通信し、受信した前記フルカラー情報を記憶する可搬記録媒体を備える受信機と送信機との間の通信制御方法において、前記受信機から前記送信機に対して、ＪＰＥＧ符号化情報の受信機能の有無を通知し、色空間Ｌａｂでのフルカラー情報の受信機能の有無を通知し、色空間ｓＹＣＣでのフルカラー情報の受信機能の有無を通知し、交互モードでの両面受信機能の有無を通知し、前記送信機から前記受信機に対して、ＪＰＥＧ符号化情報の送信を指定し、色空間Ｌａｂでのフルカラー情報の送信を指定し、色空間ｓＹＣＣでのフルカラー情報の送信を指定し、交互モードでの両面送信を指定する通信制御方法であって、前記受信機は、色空間ｓＹＣＣでのＪＰＥＧ符号化情報の通信及び交互モードでの両面通信が指定された場合、交互モードでの両面通信の指定を無視し、受信した前記フルカラー情報を前記可搬記録媒体にアップロードすることを特徴とする。
【００１０】
【発明の実施の形態】
以下、図面を参照して、本発明の一実施形態に係る通信制御を行うファクシミリ装置の詳細について説明する。
【００１１】
図１は、本発明の一実施形態に係るファクシミリ装置の構成を示すブロック図である。図１において、２６は、バスである。また、２は、ＮＣＵ（網制御装置）である。さらに、４は、電話機である。
【００１２】
ＮＣＵ２は、電話網をデータ通信等に使用するために電話網からの電話回線２ａの端末に接続し、電話交換網の接続制御を行ったり、データ通信路への切り換えを行ったり、ループの保持を行うものである。また、ＮＣＵ２は、バス２６からの制御により、電話回線２ａを電話機４側（２ｂ）に接続（ＣＭＬオフ）したり、電話回線２ａをファクシミリ装置側（２ｃ）に接続（ＣＭＬオン）するものである。尚、通常の状態では、電話回線２ａは電話機４側に接続されている。
【００１３】
１２は、加算回路であり、信号線８ａの情報と信号線１０ａの情報を入力し、加算した結果を信号線１２ａに出力する。また、６は、ハイブリッド回路であり、送信系の信号と受信系の信号とを分離し、加算回路１２からの送信信号をＮＣＵ２経由で電話回線２ａに送出するとともに、相手側からの信号をＮＣＵ２経由で受け取って信号線６ａ経由で変復調器８に送るものである。
【００１４】
８は、変復調器であって、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行うものであり、バス２６の制御により各伝送モードが指定される。変復調器８は、バス２６からの送信信号を入力して変調データを信号線８ａに出力するとともに、信号線６ａに出力されている受信信号を入力して復調データをバス２６に出力する。また、１０は、発呼回路であり、バス２６からの信号により、電話番号情報を入力して信号線１０ａにＤＴＭＦ（Ｄｉａｌ  Ｔｏｎｅ  Ｍｕｌｔｉ  Ｆｒｅｑｕｅｎｃｙ）の選択信号を出力する。
【００１５】
１４は、カラー読み取り可能な読取回路であり、読み取りデータをバス２６に出力する。また、１６は、カラー記録可能な記録回路であり、バス２６に出力されている情報を順次１ライン毎に記録する。さらに、１８は、メモリ回路であり、ワーク用のメモリ（ＲＡＭ）、読み取りデータの生情報、符号化した情報等を格納したり、受信情報や復号化した情報等をバス２６を介して格納するために使用される。
【００１６】
２０は、操作部であり、ワンタッチダイヤル、短縮ダイヤル、テンキー、「＊」キー、「＃」キー、スタートキー、ストップキー、セットキー、カラー情報の送信を選択するキー、送信する色空間を選択するキー、その他のファンクションキーがあり、押下されたキー情報はバス２６に出力される。また、操作部２０には、表示部があって、バス２６に出力されている情報を入力し、表示することができる。
【００１７】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１８】
２８は、カードインタフェースである。また、３０は、例えば、カードインタフェースに接続（挿入）されるコンパクトフラッシュ（登録商標）カード等の受信情報を記憶するためのカードである。
【００１９】
図２は、本発明の一実施形態において用いられる新規にＩＴＵ−Ｔ勧告Ｔ．３０に追加するプロトコルを示す図である。図２に示すように、ＤＩＳ／ＤＴＣ信号のＦＩＦのビット５０により、パスワード信号の受信機能の有無を通知し、ＤＣＳ信号のＦＩＦのビット５０により、パスワード信号の送信を指定をする。
【００２０】
また、ＤＩＳ／ＤＴＣ信号のＦＩＦのビット６８により、ＪＰＥＧ受信機能の有無を通知し、ＤＣＳ信号のＦＩＦのビット６８により、ＪＰＥＧ送信を指定をする。
【００２１】
さらに、ＤＩＳ／ＤＴＣ信号のＦＩＦのビット６９により、色空間がＬａｂであるフルカラー受信機能の有無を通知し、ＤＣＳ信号のＦＩＦのビット６９により、色空間がＬａｂであるフルカラー送信を指定をする。
【００２２】
さらにまた、ＤＩＳ／ＤＴＣ信号のＦＩＦのビットＸにより、色空間がｓＹＣＣであるフルカラー受信機能の有無を通知し、ＤＣＳ信号のＦＩＦのビットＸにより、色空間がｓＹＣＣであるフルカラー送信を指定をする。
【００２３】
さらにまた、ＤＩＳ／ＤＴＣ信号のＦＩＦのビット１１３により、交互モードでの両面受信機能の有無を通知し、ＤＣＳ信号のＦＩＦのビット１１３により、交互モードでの両面送信を指定をする。
【００２４】
一方、図１において、２４は、制御プログラムを格納するためのＲＯＭである。このＲＯＭ２４には、フルカラー情報を通信し、受信したフルカラー情報を記憶する可搬記録媒体を備える受信機と送信機との間の通信制御プログラムが格納されている。当該制御プログラムは、受信機から送信機に対して、ＪＰＥＧ符号化情報の受信機能の有無を通知しする手順、色空間Ｌａｂでのフルカラー情報の受信機能の有無を通知する手順、色空間ｓＹＣＣでのフルカラー情報の受信機能の有無を通知する手順、交互モードでの両面受信機能の有無を通知する手順と、送信機から受信機に対して、ＪＰＥＧ符号化情報の送信を指定する手順、色空間Ｌａｂでのフルカラー情報の送信を指定する手順、色空間ｓＹＣＣでのフルカラー情報の送信を指定する手順、交互モードでの両面送信を指定する手順と、色空間ｓＹＣＣでのＪＰＥＧ符号化情報の通信及び交互モードでの両面通信が指定された場合、受信機は交互モードでの両面通信の指定を無視し、受信したフルカラー情報を可搬記録媒体にアップロードする制御手順とを実行することを特徴とする。
【００２５】
また、ＲＯＭ２４に格納された上記制御プログラムは、色空間ＬａｂでのＪＰＥＧ通信が指定された時に、交互モードでの両面通信指定があれば記録紙の両面にカラー情報を記録し、一方、交互モードでの両面通信指定が無ければ記録紙の片面にカラー情報を記録することを特徴とする。
【００２６】
さらに、ＲＯＭ２４に格納された上記制御プログラムは、色空間ｓＹＣＣでのＪＰＥＧ通信、あるいは、色空間ＬａｂでのＪＰＥＧ通信が指定されない時に、交互モードでの両面通信指定があれば記録紙の両面にモノクロ情報を記録し、一方、交互モードでの両面通信指定が無ければ記録紙の片面にモノクロ情報を記録することを特徴とする。
【００２７】
図３〜５は、本発明の一実施形態に係るファクシミリ装置における通信制御の流れを説明するためのフローチャートである。
【００２８】
まず、図３に示すように、バス２６を介して、メモリ１８をイニシャライズ（初期化）する（ステップＳ２）。次に、バス２６を介して、操作部２０の表示部をクリアする（ステップＳ４）。さらに、バス２６を介して、ＮＣＵ２のＣＭＬをオフにする（ステップＳ６）。
【００２９】
次に、ファクシミリ受信が選択されたか否かが判断される（ステップＳ８）。その結果、ファクシミリ受信が選択された場合（ＹＥＳ）、ステップＳ１２に進み、ファクシミリ受信が選択されていない場合（ＮＯ）、その他の処理をする（ステップＳ１０）。
【００３０】
ステップＳ１２では、バス２６を介して、ＮＣＵ２のＣＭＬをオンにする。そして、カードインタフェース２８に例えばコンパクトフラッシュ（登録商標）カードのような記憶用のカードがセットされているか否かが判断される（ステップＳ１４）。その結果、カードがある場合（ＹＥＳ）はステップＳ３６の前手順に進み、カードがない場合（ＮＯ）はステップＳ１６の前手順に進む。
【００３１】
ステップＳ１６の前手順では、ＤＩＳ信号のＦＩＦのビット６８、６９、１１３を１とし、ビットＸを０にする処理が行われる。そして、図４に示すように、ＤＣＳ信号のＦＩＦのビット６９及びビット６９が１であるか否かが判断される（ステップＳ１８）。その結果、両ビット共に１であると判断された場合（ＹＥＳ）はステップＳ２０に進み、どちらか一方でも１でない場合（ＮＯ）はステップＳ２８に進む。
【００３２】
ステップＳ２０では、ＤＣＳ信号のＦＩＦのビット１１３が１であるか否かが判断される。その結果、ビット１１３が１であると判断された場合（ＹＥＳ）、色空間ＬａｂのＪＰＥＧカラー情報を受信し、両面プリントを行う（ステップＳ２２）。一方、ビット１１３が１でない場合（ＮＯ）、色空間ＬａｂのＪＰＥＧカラー情報を受信し、片面プリントを行う（ステップＳ２４）。そして、ステップＳ２２又はＳ２４での処理の後、後手順が行われ（ステップＳ２６）、ステップＳ６に戻る。
【００３３】
一方、ステップＳ２８では、ＤＣＳ信号のＦＩＦのビット１１３が１であるか否かが判断される。その結果、ビット１１３が１であると判断された場合（ＹＥＳ）、モノクロ情報を受信して両面プリントを行う（ステップＳ３０）。一方、ビット１１３が１でないと判断された場合（ＮＯ）、モノクロ情報を受信して片面プリントを行う（ステップＳ３２）。そして、ステップＳ３０及びＳ３２の処理の後、後手順を行って（ステップＳ３４）、ステップＳ６に戻る。
【００３４】
また、ステップＳ１４においてカードがあると判断された場合（ＹＥＳ）、図５のステップＳ３６に示される前手順が行われる。この前手順では、ＤＩＳ信号のＦＩＦのビット６８、６９、１１３、Ｘを全て１にする。
【００３５】
そして、次に、ＤＣＳ信号のＦＩＦのビット６８及びビットＸが１であるか否かが判断される（ステップＳ３８）。その結果、両ビット共に１であると判断された場合（ＹＥＳ）はステップＳ４０に進む。尚、この場合、ＤＣＳ信号のＦＩＦのビットＸは０でも１であってもよい。一方、ビット６８、Ｘの少なくとも１つが０である場合（ＮＯ）、ステップＳ１８に戻る。
【００３６】
ステップＳ４０では、色空間ｓＹＣＣのＪＰＥＧカラーファイル情報を受信したページ順に、カード３０に受信したカラーファイル情報をアップロードする。ここで、両面通信の場合は、１ページ目の表面、１ページ目の裏面、２ページ目の表面、２ページ目の裏面、…、ｎページ目の表面、ｎページ目の裏面の順に送信される。そして、ステップＳ４２で後手順が行われた後、ステップＳ６に戻る。
【００３７】
上述した本実施形態に係るファクシミリ装置における通信制御方法によれば、以下のような動作が行われる。すなわち、色空間ｓＹＣＣでのＪＰＥＧ通信が指定された場合は交互モードでの両面通信指定を無視する。また、色空間ＬａｂでのＪＰＥＧ通信が指定された場合、交互モードでの両面通信指定があるときは記録紙の両面にカラー情報を記録し、交互モードでの両面通信指定がないときは記録紙の片面にカラー情報を記録する。さらに、色空間ｓＹＣＣでのＪＰＥＧ通信又は色空間ＬａｂでのＪＰＥＧ通信の指定がない場合、交互モードでの両面通信の指定があるときは記録紙の両面にモノクロ情報を記録し、交互モードでの両面通信の指定がないときは記録紙の片面にモノクロ情報を記録する。
【００３８】
これによって、交互モードでの両面通信が指定された時、それぞれの通信モードに従って適切に両面通信指定に対する処理が可能になり、ユーザに対して使い易いファクシミリ装置を提供することができる。
【００３９】
また、色空間ｓＹＣＣでのＪＰＥＧ通信が指定された時に、交互モードでの両面通信指定を無視するので、受信情報をカードにアップロードした時に、その情報はプリント以外にも自由に使用することができるので、受信情報を有効に利用することが可能である。
【００４０】
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００４１】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４２】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４３】
本発明を上記記録媒体に適用する場合、その記録媒体には、先に説明したフローチャートに対応するプログラムコードが格納されることになる。
【００４４】
本発明の実施態様の例を以下に列挙する。
【００４５】
【実施態様１】フルカラー情報を通信し、受信した前記フルカラー情報を記憶する可搬記録媒体を備える受信機と送信機との間の通信制御方法において、前記受信機から前記送信機に対して、
ＪＰＥＧ符号化情報の受信機能の有無を通知し、
色空間Ｌａｂでのフルカラー情報の受信機能の有無を通知し、
色空間ｓＹＣＣでのフルカラー情報の受信機能の有無を通知し、
交互モードでの両面受信機能の有無を通知し、
前記送信機から前記受信機に対して、
ＪＰＥＧ符号化情報の送信を指定し、
色空間Ｌａｂでのフルカラー情報の送信を指定し、
色空間ｓＹＣＣでのフルカラー情報の送信を指定し、
交互モードでの両面送信を指定する通信制御方法であって、
前記受信機は、色空間ｓＹＣＣでのＪＰＥＧ符号化情報の通信及び交互モードでの両面通信が指定された場合、交互モードでの両面通信の指定を無視し、受信した前記フルカラー情報を前記可搬記録媒体にアップロードすることを特徴とする通信制御方法。
【００４６】
【実施態様２】色空間Ｌａｂでのフルカラー情報のＪＰＥＧ通信が指定された場合において、
交互モードでの両面通信が指定されている場合は記録紙の両面に前記フルカラー情報を記録し、
交互モードでの両面通信が指定されていない場合は前記記録紙の片面に前記フルカラー情報を記録する
ことを特徴とする実施態様１記載の通信制御方法。
【００４７】
【実施態様３】色空間ｓＹＣＣ又は色空間Ｌａｂでのフルカラー情報のＪＰＥＧ通信が指定されていない場合において、
交互モードでの両面通信が指定されている場合は記録紙の両面に前記フルカラー情報に対応するモノクロ情報を記録し、
交互モードでの両面通信が指定されていない場合は前記記録紙の片面に前記モノクロ情報を記録する
ことを特徴とする実施態様１又は２に記載の通信制御方法。
【００４８】
【実施態様４】フルカラー情報を通信し、受信した前記フルカラー情報を記憶する可搬記録媒体を備える受信機と送信機との間の通信制御システムにおいて、
前記受信機が、前記送信機に対して、
ＪＰＥＧ符号化情報の受信機能の有無を通知する手段と、
色空間Ｌａｂでのフルカラー情報の受信機能の有無を通知する手段と、
色空間ｓＹＣＣでのフルカラー情報の受信機能の有無を通知する手段と、
交互モードでの両面受信機能の有無を通知する手段とを備え、
前記送信機が、前記受信機に対して、
ＪＰＥＧ符号化情報の送信を指定する手段と、
色空間Ｌａｂでのフルカラー情報の送信を指定する手段と、
色空間ｓＹＣＣでのフルカラー情報の送信を指定する手段と、
交互モードでの両面送信を指定する手段とを備え、
前記受信機は、色空間ｓＹＣＣでのＪＰＥＧ符号化情報の通信及び交互モードでの両面通信が指定された場合、交互モードでの両面通信の指定を無視し、受信した前記フルカラー情報を前記可搬記録媒体にアップロードする
ことを特徴とする通信制御システム。
【００４９】
【実施態様５】色空間Ｌａｂでのフルカラー情報のＪＰＥＧ通信が指定された場合において、
前記受信機が、
交互モードでの両面通信が指定されている場合は記録紙の両面に前記フルカラー情報を記録する手段と、
交互モードでの両面通信が指定されていない場合は前記記録紙の片面に前記フルカラー情報を記録する手段と
をさらに備えることを特徴とする実施態様４記載の通信制御システム。
【００５０】
【実施態様６】色空間ｓＹＣＣ又は色空間Ｌａｂでのフルカラー情報のＪＰＥＧ通信が指定されていない場合において、
前記受信機が、
交互モードでの両面通信が指定されている場合は記録紙の両面に前記フルカラー情報に対応するモノクロ情報を記録する手段と、
交互モードでの両面通信が指定されていない場合は前記記録紙の片面に前記モノクロ情報を記録する手段と
をさらに備えることを特徴とする実施態様４又は５に記載の通信制御システム。
【００５１】
【発明の効果】
以上説明したように、本発明によれば、色空間ｓＹＣＣでのＪＰＥＧ符号化情報の交互モードでの両面通信が指定された場合であっても、受信したカラーファイル情報を好適にカード等の可搬記録媒体にアップロードすることができる。
【図面の簡単な説明】
【図１】本発明の一実施形態に係るファクシミリ装置の構成を示すブロック図である。
【図２】本発明の一実施形態において用いられる新規にＩＴＵ−Ｔ勧告Ｔ．３０に追加するプロトコルを示す図である。
【図３】本発明の一実施形態に係るファクシミリ装置における通信制御の流れを説明するためのフローチャートである。
【図４】本発明の一実施形態に係るファクシミリ装置における通信制御の流れを説明するためのフローチャートである。
【図５】本発明の一実施形態に係るファクシミリ装置における通信制御の流れを説明するためのフローチャートである。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインタフェース
３０  カード
【図１】
2004153666.tif 000003
【図２】
2004153666.tif 000004
【図３】
2004153666.tif 000005
【図４】
2004153666.tif 000006
【図５】
2004153666.tif 000007